(57)【要約】【課題】全体としてのパウチの強度を保ちながらも、先端が丸い棒などを用いても簡単に突き刺して孔を開けることのできるスパウト突きパウチを提供する。【解決手段】内部に液体を収容した状態で密封されるパウチ１と、そのスパウト１に貼着固定されたスパウト２を備えるとともに、スパウト２の貼着固定部位の内側領域に、ベースフィルム１１を欠落させた構造等からなる突き刺し容易部１０を形成することにより、特に鋭利な突き棒などを用いることなく、任意の棒等によって簡単に突き刺してパウチ１に孔を開けることを可能とする。【選択図】  図１
2005001744.tif 000002
【特許請求の範囲】
【請求項１】
フィルム状材料からなり、内部に液体を収容した状態で密封されるパウチと、そのパウチに貼着固定されたスパウトとからなるスパウト付きパウチにおいて、
上記フィルム状材料に、上記スパウトの貼着固定部位の内側領域において、他部に比して厚さを薄すくしてなる突き刺し容易部が形成されていることを特徴とするスパウト付きパウチ。
【請求項２】
請求項１に記載のスパウト付きパウチにおいて、上記フィルム状材料がベースフィルムを含む複数層のフィルムを積層してなる積層フィルムであって、上記突き刺し容易部は、少なくともベースフィルムを含む一部の層を欠落させた構造であることを特徴とするスパウト付きパウチ。
【請求項３】
請求項１に記載のスパウト付きパウチにおいて、上記突き刺し容易部の構造を、上記厚さを薄くする構造に代えて、フィルム状材料の厚さ方向に貫通する切り込みを形成するとともに、その切り込み形成部位を紙もしくはアルミ箔で覆った構造とすることを特徴とするスパウト付きパウチ。
【請求項４】
請求項２に記載のスパウト付きパウチにおいて、上記突き刺し容易部の構造を、ベースフィルムを含む一部の層を欠落させた構造に代えて、ベースフィルムを含む一部の層に切り込みを形成した構造とすることを特徴とするスパウト付きパウチ。
【請求項５】
請求項２に記載のスパウト付きパウチにおいて、上記突き刺し容易部の構造を、ベースフィルムを含む一部の層を欠落させた構造に代えて、ベースフィルムを含む一部の層に、多数の微細孔を形成した構造とすることを特徴とするスパウト付きパウチ。
【請求項６】
フィルム状材料からなり、内部に液体を収容した状態で密封されるパウチと、そのパウチに貼着固定されたスパウトとからなるスパウト付きパウチにおいて、
当該パウチが、互いに重ね合わされるように配置されてその両側縁および一端側が相互に接合される第１および第２の２枚のフィルム状材料と、これらの第１および第２のフィルム状材料の他端側に配されてその周囲が当該第１および第２のフィルム状材料のいずれかに接合される第３のフィルム状材料とからなり、その第３のフィルム状材料に上記スパウトが貼着固定されているとともに、この第３のフィルム状材料は、上記第１および第２のフィルム状材料に比して突き刺し容易な構造を有していることを特徴とするスパウト付きパウチ。
【発明の詳細な説明】
【０００１】
【発明の属する技術分野】
本発明は、液体を収容するパウチに、内容物である液体を取り出すためのスパウトを貼着固定してなるスパウト付きパウチに関する。
【０００２】
【従来の技術】
各種液体を収容する容器として、柔軟なフィルム状材料からなるパウチに、内容物の取り出し口となるスパウトを貼着固定してなるスパウト付きパウチが知られている。このようなスパウト付きパウチによると、内容物である液体を取り出した後の嵩を通常のボトルに比して大幅に小さくすることができるという利点がある。
【０００３】
このような利点に着目し、本発明者らは、従来はリジッドなカートリッジに収容されて、コーキングガン等と称されている押出器により所要量ずつ押し出して使用されているシリコーンシーラント等のシーリング剤をはじめとする接着剤の容器として、パウチの一端部に、実質的にスパウトとなる押出口基体を貼着固定するとともに、その押出口基体には、コーン状の押出ノズルを取り付け可能とした構造で、従来の押出器をそのまま用いて、従来と同等の作業性のもとに押し出すことのできる容器を提案している（特許文献１参照）。
【０００４】
この提案による容器において、内容物を収容した状態で密封されたパウチから内容物を押し出すには、適当な突き棒等を用いて、パウチの一端に貼着固定された円筒形の押出口基体の内側においてパウチに孔を開けた後、押出口基体にコーン状のノズルを取り付け、その状態で押出器に挿入して、従来と同等の操作を行えばよい。
【０００５】
【特許文献１】
特開２００１−３３５０８１号公報（第３−第５頁、図１、図４）
【０００６】
【発明が解決しようとする課題】
ところで、以上のようなスパウト付きパウチにおいては、そのパウチを形成するフィルム状材料として、その内容物にもよるが、主として積層フィルムが用いられる。この種のパウチに用いられる積層フィルムにおいては、その強度を得るために、最外層に配置されるベースフィルムとしてポリアミド樹脂が多用され、場合によってはポリエチレンや延伸ポリプロピレンなどが用いられる。また、単層フィルムを用いる場合においても、その強度を得るために主としてポリアミド樹脂が、あるいはポリエチレンや延伸ポリプロピレンなどが用いられる。
【０００７】
以上のようなポリアミド樹脂をはじめとする、パウチの強度を得るためのフィルムは突き刺しに対して強く、先端が相当に鋭利な棒を用いなければ孔を開けにくいという問題がある。
【０００８】
本発明はこのような実情に鑑みてなされたもので、全体としてのパウチの強度を保ちながらも、先端が丸い棒等によっても簡単に突き刺して孔を開けることのできるスパウト付きパウチの提供を目的としている。
【０００９】
【課題を解決するための手段】
上記の目的を達成するため、本発明のスパウト付きパウチは、フィルム状材料からなり、内部に液体を収容した状態で密封されるパウチと、そのパウチに貼着固定されたスパウトとからなるスパウト付きパウチにおいて、上記フィルム状材料に、上記スパウトの貼着固定部位の内側領域において、他部に比して厚さを薄すくしてなる突き刺し容易部が形成されていることによって特徴づけられる（請求項１）。
【００１０】
ここで、本発明においては、請求項１に記載のスパウト付きパウチにおいて、上記フィルム状材料がベースフィルムを含む複数層のフィルムを積層してなる積層フィルムであって、上記突き刺し容易部は、少なくともベースフィルムを含む一部の層を欠落させた構造とする構成（請求項２）を採用することができる。
【００１１】
また、本発明においては、突き刺し容易部の構造として、請求項１に記載のようにフィルム状材料の厚さを薄くする構造に代えて、フィルム状材料の厚さ方向に貫通する切り込みを形成するとともに、その切り込み形成部位を紙もしくはアルミ箔で覆った構造とする構成（請求項３）を採用することもできる。
【００１２】
更に、本発明においては、パウチをベースフィルムを含む複数層のフィルムで構成する場合、突き刺し容易部の構造を、請求項２に係る発明のようにベースフィルムを含む一部の層を欠落させた構造に代えて、ベースフィルムを含む一部の層に切り込みを形成した構造とする構成（請求項４）を採用することもできる。
【００１３】
更にまた、本発明においては、パウチをベースフィルムを含む複数層のフィルムで構成する場合、突き刺し容易部の構造を、ベースフィルムを含む一部の層に、多数の微細孔を形成した構造とする構成（請求項５）を採用することもできる。
【００１４】
そして、上記と同じ目的を達成するため、請求項６に係る発明のスパウト付きパウチは、フィルム状材料からなり、内部に液体を収容した状態で密封されるパウチと、そのパウチに貼着固定されたスパウトとからなるスパウト付きパウチにおいて、当該パウチが、互いに重ね合わされるように配置されてその両側縁および一端側が相互に接合される第１および第２の２枚のフィルム状材料と、これらの第１および第２のフィルム状材料の他端側に配されてその周囲が当該第１および第２のフィルム状材料のいずれかに接合される第３のフィルム状材料とからなり、その第３のフィルム状材料に上記スパウトが貼着固定されているとともに、この第３のフィルム状材料は、上記第１および第２のフィルム状材料に比して突き刺し容易な構造を有していることによって特徴づけられる。
【００１５】
請求項１〜５に係る発明は、パウチの材質を、必要とされる強度を持たせ、かつ、内容物に種類に応じて従来と同等のものを採用しながら、貼着固定されたスパウトの内側の領域に、突き刺し易い部位を設けることによって、所期の目的を達成しようとするものである。
【００１６】
すなわち、本発明においては、ベースフィルム層を含む積層フィルム、もしくは単層フィルムからなるパウチに、当該パウチに貼着固定されたスパウトの内側において突き刺し容易部を形成する。この突き刺し容易部の構造としては、パウチを形成するフィルム状材料の厚さを薄くする構造（請求項１）、その場合、特にフィルム状材料がベースフィルムを含む複数層のフィルム（積層フィルム）からなる場合には、ベースフィルムを含む一部の層を欠落させた構造（請求項２）、フィルム状材料に厚さ方向に貫通する切り込みを入れ、その部分を紙またはアルミ箔により覆った構造（請求項３）、あるいは、上記と同様の積層フィルムからなる場合には、ベースフィルムを含む一部の層に切り込みを入れる構造（請求項４）、もしくはベースフィルムを含む一部の層に多数の微細孔を形成した構造（請求項５）を採用することができ、これらの構造のいずれを採用しても、先端の丸い棒などを用いて簡単にスパウトの内側でパウチを突き刺して孔を開けることができる。
【００１７】
しかも、パウチを構成するフィルム状材料自体については、その強度や内容物を考慮した従来と同等のものでよく、性能を低下させることなく突き刺し穿孔を容易化することができる。
【００１８】
一方、請求項６に係る発明では、パウチ構成を、第１と第２のフィルム状材料を重ね合わせ、その片側の端部を第３のフィルム状材料で閉塞した構成として、その第３のフィルム状材料にスパウトを貼着するとともに、この第３のフィルム状材料として、他の第１，第２のフィルム状材料よりも突き刺しやすい構造のものを用いることによって、パウチの強度を主として担う筒状部分の強度を保ちながら、上記と同様に先端の丸い棒などを用いた簡単にスパウトの内側を突き刺すことができる。
【００１９】
【発明の実施の形態】
以下、図面を参照しつつ本発明の実施の形態について説明する。
図１は本発明の実施の説明図であり、（Ａ）は全体形状を示す外観図であり、（Ｂ）はその押出口基体２１の近傍の模式的拡大断面図である。
【００２０】
この実施の形態は、シリコーンシーラント等の接着剤を収容する容器に本発明を適用したものであって、パウチ１は船底形であり、２枚の略矩形フィルム１ａ，１ｂの一端部に変形六角形のフィルム１ｃを配し、そのフィルム１ｃの全周をフィルム１ａないしは１ｂに対して融着するとともに、フィルム１ａ，１ｂの両側縁部を互いに融着したものであり、内容物の充填後にフィルム１ａ，１ｂの他端側を融着することにより密閉している。
【００２１】
この例において、パウチ１を構成するフィルム１ａ，１ｂおよび１ｃは、ガスに対するバリア性が要求される関係上、アルミ箔１１をガスバリア層および水蒸気バリア層として、その片側にベースフィルムとして延伸ポリアミドフィルム層１２を、他方の側には低密度ポリエチレンフィルム層１３もしくは未延伸ポリプロピレンフィルム層を積層した構造を有しており、ベースフィルムであるポリアミド樹脂層１２が外側に位置するように融着されている。
【００２２】
さて、内容物を充填した状態では、図１（Ａ）のようにフィルム１ｃは略平坦となり、その平坦部分に押出口（スパウト）２が貼着固定されている。押出口２は押出口基体２１と押出ノズル２２によって構成され、押出口基体２１は円筒部２１ａの一端側にフランジ部２１ｂが形成された形状を有し、フランジ部２１ｂがパウチ１のフィルム１ｃに対してホットメルト層２１ｃによって貼着固定されている。この押出口基体２１の円筒部２１ａの外周には雄ねじ２１ｄが刻設されている。
【００２３】
押出口ノズル２２は、大径の基端部側が開口した全体としてコーン状の筒体であり、その筒体の先端部は未使用状態においては閉じられており、内容物の所要の押出径に応じた位置で切断することにより開放される。また、この押出ノズル２２の基端部の内周面には、雄ねじ２１ａに螺合する雌ねじが刻設されている。
【００２４】
パウチ１のフィルム１ｃには、押出口基体２１の内側の領域に、突き刺し容易部１０が形成されている。この突き刺し容易部１０は、パウチ１の最外層のベースフィルムである延伸ポリアミド樹脂層１２のみを欠落させた構造を有している。
【００２５】
以上の実施の形態を使用するには、図１内容物を押し出すべく、パウチ１の押出口基体２１の内側に孔を開けた後、押出ノズル２２の先端部をカットして押出口基体２１に装着する。
【００２６】
パウチ１の穿孔に際しては、適当な突き棒、あるいはカット前の押出ノズル２２の先端を押出口基体２１の内側に挿入して突き刺し容易部１０を突き刺す。このとき、突き刺し容易部１０においては、強度の高いベースフィルムである延伸ポリアミド樹脂層１２が欠落しているので、先端が丸い突き棒や押出ノズル２２を用いても簡単に突き刺して孔を開けることができる。
【００２７】
ここで、以上の実施の形態においては、突き刺し容易部１０として、延伸ポリアミド樹脂層１２を欠落させた構造を採用したが、以下に示す構造を採用しても同等の作用効果を奏することができる。図２にその構造例を列挙する。
【００２８】
図２（Ａ）に断面図で示す例は、ベースフィルムである延伸ポリアミド樹脂層１２に切刃により円形の切り込み１０１を入れた構造、同図（Ｂ）に正面図で示す例は、同じくベースフィルムである最外層の延伸ポリアミド樹脂層１２に多数の微細孔１０２を形成した構造、同図（Ｃ）に断面図で示す例は、フィルム１ｃの全体に×形の切り込み１０３を入れるとともに、その切り込み１０３の形成部位をアルミ箔もしくは紙１０３ａで覆った構造を示している。また、同図（Ｄ）に示す例は、パウチ１を延伸ポリアミド樹脂等からなる単層フィルム１４で構成した例であり、この場合、単層フィルム１４に薄肉部１０５を形成して突き刺し容易部としている。
【００２９】
なお、図２（Ａ）の切刃による切り込み１０１は、上述したような円形のほか、×形状等であってもよい。また、単層フィルム１４を用いる場合、図２（Ｃ）に示す構造をそのまま採用することもできる。
【００３０】
また、パウチを積層フィルムで構成する場合、積層されるフィルムの種類や積層構造等については上記した実施の形態の組み合わせに限られることなく、例えばアルミ箔を有さない積層構造や、あるいは上記した実施の形態の積層構造に加えて、アルミ箔の内側にもポリアミド樹脂層を配置した積層構造、等も採用することができる。アルミ箔を有さない積層構造においては、上記した実施の形態と同様にベースフィルムにのみ欠落部や切り込み、あるいは多数の微小孔を形成することによって突き刺し容易部を形成することができる。また、アルミ箔の内側にもポリアミド樹脂層を有する構造における突き刺し容易部の構造としては、図３（Ａ）に示すように、ベースフィルムである最外層の延伸ポリアミド樹脂層１２とアルミ箔１１、および更にその内側のポリアミド樹脂層１５を欠落させた構造や、同図（Ｂ）に示すように、最外層の延伸ポリアミド樹脂層１２にのみ切り込み１０６を入れる構造等を採用することができ、また、多数の微小孔を形成する突き刺し容易部を採用する場合には、最外層の延伸ポリアミド樹脂層１２にのみ多数の微小孔を形成する構造を採用することができる。
【００３１】
また、ベースフィルムの材質としては、延伸ポリアミド樹脂のほか、延伸ポリプロピレン、ポリエチレンなど、この種のパウチにおいて用いられている公知の材質を採用することができる。
【００３２】
そして、以上の各実施の形態においては、パウチ１を構成するフィルム１ａ，１ｂおよび１ｃを同じフィルム構造とし、スパウト２が貼着されるフィルム１ｃのスパウト２の内側に突き刺し容易部１０を形成したが、フィルム１ｃを他のフィルム１ａ，１ｂに比して突き刺しやすいフィルム構造としても、同等の作用効果を得ることができる。
【００３３】
すなわち、図１（Ａ）に示したパウチ構成、すなわち、第１と第２のフィルム１ａと１ｂを重ね合わせて、その片側の端部に第３のフィルム１ｃを配してその全周を第１または第２のフィルム１ａ，１ｂに接合するとともに、第１と第２のフィルム１ａ，１ｂの両側縁部を互いに接合し、内容物の充填後にフィルム１ａ，１ｂの残る端部を接合する船底形等のパウチ１で、パウチ１の一端部分を形成する第３のフィルム１ｃにスパウト２を貼着する場合、この第３のフィルム１ｃの構造を、第１および第２のフィルム１ａ，１ｂに比して突き刺し易い構造とする。
【００３４】
具体的な例としては、第１および第２のフィルム１ａ，１ｂを、表面側からポリアミド樹脂層（１５μｍ；厚さ、以下同））／アルミ箔（９μｍ）／ポリアミド樹脂層（２５μｍ）／低密度ポリエチレン樹脂層（７０μｍ）とするとともに、第３のフィルム１ｃを、同じく表面側からポリアミド樹脂層（１５μｍ）／アルミ箔（９μｍ）／低密度ポリエチレン層（３０μｍ）とする。これにより、パウチ１の胴部を形成する第１と第２のフィルム１ａ，１ｂを高い強度としているが故にパウチ１の強度が確保され、そのパウチ１の端部を形成してスパウト２が貼着される第３のフィルム１ｃを棒等によって比較的容易に突き刺すことができる。ここで、第３のフィルム１ｃは第１、第２のフィルム１ａ，１ｂに比して低強度であるが、例えば前記したように押出器内に挿入してスパウト２を介してシーラント等を押し出す場合には、第３のフィルム１ｃは押出器の内端面に当接するので、押出力は押出器の内端面で受けるため、押し出し時に破損することはなく、また、第１と第２のフィルム１ａ，１ｂとの接合部は、これらの第１および第２のフィルム１ａ，１ｂのシーラント層を厚くすることよってその接合強度を確保することができ、特に問題とはならない。
【００３５】
なお、本発明はパウチの内容物については任意であり、従ってスパウトとしては、上記した実施の形態における押出口基体２１にキャップを装着する構造のものを用い得ることは言うまでもない。
【００３６】
【発明の効果】
以上のように、請求項１〜５に係る発明によれば、スパウトの内側に、他部に比して厚さを薄くし、あるいはベースフィルムを欠落させたり、更には切り込みを入れる等によって構成された突き刺し容易部を設けているので、特に鋭利な突き棒などを用意することなく、先端の丸い突き棒などを用いて簡単に穿孔することが可能となる。しかも、パウチの材質や構造等については、従来と同様にその内容物に応じた最適なものを選択できるので、突き刺しを容易にしたが故の不具合も生じることがない。
【００３７】
また、請求項６に係る発明によれば、第１と第２のフィルム状材料を重ね合わせて、その片側に第３のフィルム状材料を配して全体として袋状に形成したパウチを用い、かつ、その第３のフィルムにスパウトを貼着するように構成するとともに、その第３のフィルム状材料の構造を、第１，第２のフィルム状材料に比して突き刺し易い構造としているので、パウチの主たる強度を得るための第１，第２のフィルム状材料を高強度な構造としても、上記と同様に、スパウトの内側を先端の丸い突き棒などを用いて簡単に穿孔することができる。
【図面の簡単な説明】
【図１】本発明の実施の形態の説明図であり、（Ａ）は全体形状を示す外観図で、（Ｂ）はその押出口基体２１の近傍の模式的拡大断面図である。
【図２】本発明において採用可能な突き刺し容易部の他の構造例の説明図である。
【図３】本発明において採用可能な突き刺し容易部の更に他の構造例の説明図である。
【符号の説明】
１  パウチ
１ａ，１ｂ，１ｃ  フィルム
１０  突き刺し容易部
１１  アルミ箔
１２  延伸ポリアミド樹脂フィルム層
１３  低密度ポリエチレンフィルム層
２  押出口（スパウト）
２１  押出口基体
２２  押出ノズル
【図１】
2005001744.tif 000003
【図２】
2005001744.tif 000004
【図３】
2005001744.tif 000005